(57)【要約】【課題】安価および短時間で製作でき、かつ実際の手術と差異が少ない、手術トレーニングシステムを提供することである。【解決手段】本発明にかかる手術トレーニングシステム１００であって、拡張現実で表現される胸郭モデル３００と、胸郭モデル３００に対して移動可能な創傷開創器４００と、胸郭モデル４００内に配設される心臓モデル２００と、を含み、創傷開創器４００は、胸郭モデル３００の所定の位置に固定可能であり、心臓モデル２００は、実体モデルからなる。【選択図】図１
2018112646.tif 000002
【特許請求の範囲】
【請求項１】
拡張現実で表現される胸郭モデルと、
前記胸郭モデルに対して移動可能な実体モデルである創傷開創器と、
前記胸郭モデル内に配設される心臓モデルと、を含み、
前記創傷開創器は、胸郭モデルの所定の位置に固定可能であり、
前記心臓モデルは、実体モデルである、手術トレーニングシステム。
【請求項２】
前記心臓モデルは、３次元プリンタによる造形である、請求項１記載の手術トレーニングシステム。
【請求項３】
前記胸郭モデルは、手術前の患者データに基づいて表現された、請求項１または２に記載の手術トレーニングシステム。
【請求項４】
前記創傷開創器は、前記胸郭モデルの肋骨と肋骨との間に固定可能である、請求項１から３のいずれか１項に記載の手術トレーニングシステム。
【請求項５】
撮像可能な撮像装置をさらに含み、
前記創傷開創器は、撮像装置を取り外し可能な取り付け部を有する、請求項１から４のいずれか１項に記載の手術トレーニングシステム。
【請求項６】
前記胸郭モデルは、ヘッドマウントディスプレイ装置で表示される、請求項１から５のいずれか１項に記載の手術トレーニングシステム。
【請求項７】
前記胸郭モデルは、投影装置で表示される、請求項１から５のいずれか１項に記載の手術トレーニングシステム。
【発明の詳細な説明】
【技術分野】
【０００１】
本発明は、手術トレーニングシステムに関する。
【背景技術】
【０００２】
従来から、手術トレーニングシステムにおいては、種々研究開発が行われている。
【０００３】
例えば、特許文献１（特開２００４−３４７６２３号公報）には、骨部分や軟部組織を、形状、色、見た目の質感、柔らかさ、及び硬さなどを生体に近い物理特性で再現し、模型の一部分を、手術操作で破壊して手術操作の訓練が可能な人体模型及びその製造方法について開示されている。
【０００４】
特許文献１（特開２００４−３４７６２３号公報）記載の人体模型及びその製造方法においては、骨部分及び軟部組織が生体に近い物理特性で再現されている。人体模型の一部分は、不可逆的に破壊可能な破壊可能部分にすることができ、この破壊可能部分は、部品として交換可能となっており、模型の本体部分は繰り返し利用可能である。
【０００５】
特許文献２（特表２００７−５２８０２９号公報）には、腹腔鏡処置、放射線透視処置、および処置が実行される対応する解剖学的構造の構造および動的動作をシミュレートする精密な手術を実行する際に特に有用な訓練および／または評価装置について開示されている。
【０００６】
特許文献２（特表２００７−５２８０２９号公報）記載の装置は、体壁を真似るように設計することができ、一つ以上の器官が配置された外部ハウジングを含む。呼吸、肺の作用、循環、消化および生体内に存在する他の要因の結果としての器官の運動が、処置中の器官の正確な動的動作を提供するように装置内でシミュレートされる。
【０００７】
特許文献３（特表２０１２−５３２３３３号公報）には、訓練システム及び方法について開示されている。
【０００８】
特許文献３（特表２０１２−５３２３３３号公報）記載の訓練システム及び方法は、ディスプレイ上で可視化されることのできる対象者のファントムを含む。空間追跡システムは、対象者のファントムの空間の中の介入器具を追跡するように構成される。シミュレーションシステムは、前記ファントムの空間の画像の中のシミュレーションされた異常を生成し、さらに、該異常に対して関連する手順においてユーザを訓練することを目的として該ユーザにフィードバック情報及び評価情報を提供するために、該シミュレーションされた異常との相互作用をシミュレーションするよう構成される。
【０００９】
特許文献４（特表２０１５−５１９５９６号公報）には、方法、システム、および非一時的なコンピュータプログラム製品について開示されている。
【００１０】
特許文献４（特表２０１５−５１９５９６号公報）記載の方法、システム、および非一時的なコンピュータプログラム製品においては、手技の能力モデルを提供することを含むことができ、該能力モデルは、手技の１つ以上の以前の能力に少なくとも部分的に基づく。実施形態はさらに、手技が行われている間に能力データを取得することを含むことができ、該能力データは、１つ以上の運動感知デバイスから受け取るセンサデータに少なくとも部分的に基づく。実施形態はさらに、手技の能力計量を決定することを含むことができ、該能力計量は、能力データを能力モデルと比較することによって決定される。実施形態はさらに、結果を出力することを含むことができ、該結果は、能力計量に基づく。
【００１１】
特許文献５（ＷＯ２００９／１５１１２１号公報）には、感覚呈示システムについて開示されている。
【００１２】
特許文献５（ＷＯ２００９／１５１１２１号公報）記載の感覚呈示システムにおいては、触覚部によりユーザの身体所定部位に触覚刺激を与える触覚呈示手段と、前記身体所定部位に対応する身体疑似画像と、前記触覚部に対応する触覚部疑似画像とを仮想空間内に表示し、前記触覚部疑似画像が前記身体疑似画像に仮想触覚刺激を与えるような動作映像を呈示してユーザに対し視覚刺激を与える視覚呈示手段とを備え、前記視覚呈示手段は、前記触覚部によって前記身体所定部位に対し前記触覚刺激を与える動作とは異なる動作映像を呈示し、前記動作映像により与える前記視覚刺激と、前記触覚部により与える前記触覚刺激とに基づいて、前記仮想触覚刺激に相当する触覚刺激を前記ユーザに知覚させるとともに、前記触覚呈示手段は、前記身体所定部位に対して前記触覚部を接触させた状態で移動させることにより前記触覚刺激を与え、前記視覚呈示手段は、前記仮想空間内で前記身体疑似画像に対して前記触覚部疑似画像を重ねて表示した状態で、前記触覚部の移動距離とは異なる移動距離だけ前記触覚部疑似画像を移動させる動作映像を呈示して前記視覚刺激を与える。
【００１３】
特許文献６（特開２０１５−１００１３８号公報）には、仮想インタラクティブプレゼンスのシステムおよび方法について開示されている。
【００１４】
特許文献６（特開２０１５−１００１３８号公報）記載の仮想インタラクティブプレゼンスの方法においては、仮想インタラクティブプレゼンス用の方法であって、前記方法は、リモートユーザおよびローカルオブジェクトのリアルタイムの表示である共通関心領域をレンダリングするステップであって、前記リモートユーザおよび前記ローカルオブジェクトの前記表示は、ローカルユーザに物理的に近接している前記ローカルオブジェクトの表示および前記リモートユーザの身体の一部分を含む、ステップと、前記リモートユーザと前記ローカルオブジェクトとが物理的に近接しかつリアルタイムで物理的に相互作用しているように、前記共通関心領域における前記リモートユーザと前記ローカルオブジェクトとの間の相互作用をレンダリングするステップと、前記リモートユーザの表示がリアルタイムでローカルユーザのディスプレイにレンダリングされ、前記ローカルオブジェクトの表示がリアルタイムで前記リモートユーザのディスプレイにレンダリングされるように、前記共通関心領域を更新するステップと、前記ローカルユーザおよび前記リモートユーザが前記リモートユーザのリアルタイムの移動および前記リモートユーザと前記ローカルオブジェクトとの間の仮想相互作用を認識できるように、前記共通関心領域を前記ローカルユーザの視点から前記ローカルユーザのディスプレイに出力し、前記共通関心領域を前記リモートユーザの視点から前記リモートユーザのディスプレイに出力するステップであって、前記リモートユーザの前記身体の前記一部分は、前記ローカルユーザのディスプレイには仮想的に存在するものとして表示され、前記リモートユーザのディスプレイには物理的に存在するものとして表示され、前記ローカルオブジェクトの物理的プレゼンスは、前記リモートユーザのディスプレイには仮想的に存在するものとして表示され、前記ローカルユーザのディスプレイには物理的に存在するものとして表示される、ステップとを含むものである。
【先行技術文献】
【特許文献】
【００１５】
【特許文献１】特開２００４−３４７６２３号公報
【特許文献２】特表２００７−５２８０２９号号公報
【特許文献３】特表２０１２−５３２３３３号公報
【特許文献４】特表２０１５−５１９５９６号公報
【特許文献５】ＷＯ２００９／１５１１２１号公報
【特許文献６】特開２０１５−１００１３８号公報
【発明の概要】
【発明が解決しようとする課題】
【００１６】
以上のように、種々の研究開発が行われている。実体モデルで、全てを製作することが最も手術トレーニングに適切である。さらに、術前の患者データに基づいて製作出来れば、最も適切である。しかしながら、製作時間が長くなり、製作コストが、高額になるという問題が生じる。
【００１７】
本発明の目的は、安価および短時間で製作でき、かつ実際の手術と差異が少ない、手術トレーニングシステムを提供することである。
【課題を解決するための手段】
【００１８】
（１）
一局面に従う手術トレーニングシステムであって、拡張現実で表現される胸郭モデルと、胸郭モデルに対して移動可能な実体モデルである創傷開創器と、胸郭モデル内に配設される心臓モデルと、を含み、創傷開創器は、胸郭モデルの所定の位置に固定可能であり、心臓モデルは、実体モデルである。
【００１９】
この場合、拡張現実で表現される胸郭モデルに対して、創傷開創器が所定の位置に固定可能であり、実体モデルからなる心臓モデルが配置される。
【００２０】
その結果、実体モデルからなる心臓モデルに対して、創傷開創器を通して手術トレーニングを行うことができる。また、胸郭モデルが拡張現実で表現されるので、容易に再現することができる。特に、患者に応じて容易に胸郭モデルを形成することができる。したがって、容易に実体の心臓モデルを用いて手術トレーニングを行うことができる。
【００２１】
特に、胸郭モデルを実体モデルで形成する場合と比較して安価でかつ短時間で形成することができる
【００２２】
（２）
第２の発明にかかる手術トレーニングシステムは、一局面に従う手術トレーニングシステムにおいて、心臓モデルは、３次元プリンタによる造形からなってもよい。
【００２３】
この場合、心臓モデルは、３次元プリンタによる造形で形成されるので、手術の際に感じる実体との差異を最小限にすることができる
【００２４】
（３）
第３の発明にかかる手術トレーニングシステムは、一局面または第２の発明にかかる手術トレーニングシステムにおいて、胸郭モデルは、手術前の患者データに基づいて表現されてもよい。
【００２５】
この場合、胸郭モデルは、手術前の患者データに基づいて表現されるので、患者と差異の無い状況を形成することができる
【００２６】
（４）
第４の発明にかかる手術トレーニングシステムは、一局面から第３の発明にかかる手術トレーニングシステムにおいて、創傷開創器は、胸郭モデルの肋骨と肋骨との間に固定可能であってもよい。
【００２７】
この場合、実際の手術のように、創傷開創器が胸郭モデルの肋骨と肋骨との間に固定されたように、位置を固定することができるので、当該創傷開創器の内部から実体モデルの手術トレーニングをすることができる
【００２８】
（５）
第５の発明にかかる手術トレーニングシステムは、一局面から第４の発明にかかる手術トレーニングシステムにおいて、撮像可能な撮像装置をさらに含み、
創傷開創器は、撮像装置を取り外し可能な保持部を有してもよい。
【００２９】
この場合、創傷開創器の保持部において撮像装置を取り付けることができるので、創傷開創器を取り付ける位置を確認しつつ、心臓モデルを手術するのに最適な位置に創傷開創器を保持することができる
【００３０】
（６）
第６の発明にかかる手術トレーニングシステムは、一局面から第５の発明にかかる手術トレーニングシステムにおいて、胸郭モデルは、ヘッドマウントディスプレイ装置で表示されてもよい。
【００３１】
この場合、胸郭モデルは、ヘッドマウントディスプレイ装置に表示されているので、容易に手術トレーニングを行うことができる
【００３２】
（７）
第７の発明にかかる手術トレーニングシステムは、一局面から第５の発明にかかる手術トレーニングシステムにおいて、胸郭モデルは、投影装置で表示されてもよい。
【００３３】
この場合、胸郭モデルは、投影装置で投影されるので、容易に手術トレーニングを行うことができる。
【図面の簡単な説明】
【００３４】
【図１】本実施の形態にかかる手術トレーニングシステムの一例を示すための模式図である。
【図２】本実施の形態にかかる手術トレーニングシステムの一例を示すための模式図である。
【図３】手術トレーニングシステムの具体例を示す説明図である。
【図４】創傷開創器の一例を示す模式図である。
【発明を実施するための形態】
【００３５】
以下、図面を参照しつつ、本発明の実施の形態について説明する。以下の説明では、同一の構成には同一の符号を付してある。それらの名称および機能も同じである。したがって、それらについての詳細な説明は繰り返さない。
【００３６】
以下、本発明に係る一実施の形態について図面を用いて説明する。図１および図２は、本実施の形態にかかる手術トレーニングシステム１００の一例を示すための模式図であり、図３は、手術トレーニングシステム１００の具体例を示す説明図である。
【００３７】
図１および図２に示すように、手術トレーニングシステム１００は、主に心臓モデル２００、胸郭モデル３００、および創傷開創器４００からなる。
【００３８】
図１に示すように、胸郭モデル３００は、投影機器５１０により空間内に投影されてもよく、図２に示すように、手術トレーニングを受ける人物が、ヘッドマウントディスプレイ５２０を装着することにより胸郭モデル３００が表示される。
【００３９】
このように、胸郭モデル３００は、拡張現実で形成される。
【００４０】
次に、図１および図２の心臓モデル２００は、３次元プリンタ等により実体モデルとして造形されたものである。すなわち、心臓モデルは、手術トレーニングにおいて切断、開放、縫合等の感触が重要課題となるため、実体モデルにより形成される。ここで言う実体モデルとは、実在する固体または半固体、液状体等を含むものである。
【００４１】
以上の心臓モデル２００および胸郭モデル３００は、手術を行う患者自身のＣＴ（コンピュータ断層撮影）、ＭＲＩ（核磁気共鳴画像法）、超音波検査、レントゲン撮影等による患者データに基づいて形成されたものである。
【００４２】
次に、図４は、創傷開創器４００の一例を示す模式図である。
創傷開創器４００は、実際に用いられている創傷開創器と同じサイズおよび同じ材質の部位４１０と、撮像装置４５０を取り付け可能な取り付け部４２０および、創傷開創器４００を所定の位置で保持することが可能な保持部４３０とを含む。
【００４３】
図４に示すように、創傷開創器４００の部位４１０は、円形状または楕円形状からなる。また、部位４１０は、胸郭モデル３００により表示された肋骨３１０、３２０、３３０、３４０、３５０のそれぞれの間に配置可能に形成されている。
【００４４】
実際に、図３に示すように、部位４１０は、胸郭モデル３００の肋骨３１０および肋骨３２０の間、または、胸郭モデル３００の肋骨３２０および肋骨３３０の間に配置させることができる。
【００４５】
この場合、手術トレーニングを行う者は、創傷開創器４００の取り付け部４２０に取り付けられた撮像装置４５０の撮像画像を確認することで、心臓モデル３００に対して手術を行い易いか、否かの判定を行うことが可能となる。
【００４６】
ここで、撮像装置４５０からの撮像画像を、撮像装置４５０の代わりにヘッドマウントディスプレイ５２０により表示してもよく、投影機器５１０から胸郭モデル３００の側面側に投影させてもよい。
【００４７】
手術トレーニングを行う者は、撮像装置４５０からの撮像画像を確認しながら、肋骨３１０、３２０の間または肋骨３２０、３３０の間が良いのか、または、肋骨３３０、３４０の間が良いのか、その他の位置が良いのか確認を行うことができる。
【００４８】
その結果、実際に手術を行う際に、手術トレーニングシステム１００の体験と同様に、手術を行うことができる。
【００４９】
なお、撮像装置を取り付けることができる取り付け部４２０は、撮像装置を取り外し可能に設けられている。
【００５０】
例えば、部位４１０の固定位置をセッティングするまでは、撮像装置を取り付けておき、部位４１０の固定位置が決定した後、撮像装置を取り外すようにしてもよい。
特に、部位４１０に対して撮像装置は、部位４１０の円形または楕円形状の中心部近くに配置されることが望ましい。
その理由は、部位４１０を通して心臓モデル２００を視認し、手術を行うため、部位４１０の最適位置を明確に決定するためである。
さらに、本実施の形態においては、胸郭モデル３００との相対的な位置を明確にするために撮像装置を用いている。
すなわち、撮像装置を含む創傷開創器４００が胸郭モデル３００の外側、胸郭モデル３００が表現されている位置と同じ位置に存在する場合、手術を行う者は、撮像装置により撮像された胸郭モデル３００を視認することができる。
一方、撮像装置を含む創傷開創器４００が、または胸郭モデル３００の内部存在する場合、胸郭モデル３００を視認することができない。
そのため、手術をする者は、創傷開創器４００の実際の位置、すなわち、心臓モデル２００と創傷開創器４００との距離感を手術トレーニングシステム１００により認識することができる。
【００５１】
また、部位４１０と固定位置において保持する保持部４３０は、蛇腹タイプの固定部材からなることが好ましい。その結果、部位４１０の位置を移動させつつ、所定の固定位置が決定した場合に、当該固定位置で部位４１０を保持することができる。
【００５２】
なお、本実施の形態においては、部位４１０と胸郭モデル３００の肋骨との位置の相関性は、肋骨モデル３００において表示を変えることで位置を決定させてもよい。すなわち、部位４１０が胸郭モデル３００の肋骨の間に位置した場合にのみ、保持部４３０の保持を固定できるようにしてもよい。
【００５３】
また、保持部４３０に位置解除ボタンを設けて、位置解除ボタンを押下操作することで、保持部４３０を動かし部位４１０を他の位置に移動させるようにしてもよい。
【００５４】
また、保持部４３０と胸郭モデル３００の肋骨位置とを連携させて、保持部４３０は、胸郭モデル３００の肋骨の間において、所定の時間停止した場合にのみ、保持部４３０が保持を固定するように設けても良い。
すなわち、胸郭モデル３００の肋骨の間において部位４１０から心臓モデル２００を確認し、手術ができる位置を探す動作を行う。その結果、手術が最も適切にできる位置に部位４１０を配置した場合、部位４１０は、当該位置で、所定時間停止することとなる。その結果、保持部４３０が部位４１０の位置を自動的に固定させることとなる。なお、この場合、所定の時間は、１５秒、３０秒、その他の任意の時間であることが好ましい。
【００５５】
なお、上記の説明においては、保持部４３０が蛇腹タイプ（フレキシブル固定具）であることとしているが、イージーアーム、３Ｄアーム、その他の任意の固定保持部材を用いても良い。
【００５６】
また、取り付け部４２０は、撮像装置を取り付け可能であると説明しているが、取り付け部４２０は、複数の撮像装置を取り付け可能であってもよい。
【００５７】
また、撮像装置は、カメラ、立体カメラ、通常のカメラに３Ｄレンズ（ロレオ社）、スマートフォン内蔵カメラ、ＧｏＰｒｏ、リコーＴＨＥＴＡ等であってもよい。
【００５８】
以上のように、本発明にかかる手術トレーニングシステム１００においては、拡張現実で表現される胸郭モデル３００に対して、創傷開創器４００が所定の位置に固定可能であり、実体モデルからなる心臓モデル２００が配置される。
【００５９】
その結果、実体モデルからなる心臓モデル２００に対して、創傷開創器４００を通して鉗子、メス等を用いて手術トレーニングを行うことができる。また、胸郭モデル３００が拡張現実で表示されるので、容易に再現することができる。特に、患者に応じて容易に胸郭モデル３００を形成することができる。したがって、容易に実体の心臓モデル２００を用いて手術トレーニングを行うことができる。
【００６０】
特に、胸郭モデル３００を実体モデルで形成する場合と比較して安価でかつ短時間で形成することができる。すなわち、心臓モデル２００のみの実体モデルの造形で対応をすることができる。
【００６１】
また、心臓モデル２００は、３次元プリンタによる造形で形成されるので、手術の際に感じる実体との差異を最小限にすることができる。その結果、実際に限りなく近い手術トレーニングを実施することができる。
【００６２】
また、胸郭モデル３００は、手術前の患者データに基づいて表現されるので、患者と差異の無い状況を形成することができる。
【００６３】
さらに、実際の手術のように、創傷開創器４００が、胸郭モデル３００の肋骨３１０と肋骨３２０との間に固定されたように、位置を固定することができるので、当該創傷開創器４００の内部から実体モデルの手術トレーニングすることができる。
【００６４】
さらに、創傷開創器４００の取り付け部４２０において撮像装置を取り付けることができるので、創傷開創器４００を取り付ける位置を確認しつつ、心臓モデル２００を手術するのに最適な位置に創傷開創器４００を保持することができる。
【００６５】
この場合、胸郭モデル３００は、ヘッドマウントディスプレイ５２０に表示されてもよく、投影装置５１０で投影されてもよい。いずれにおいても、安価で容易に手術トレーニングを行うことができる。
【００６６】
本発明においては、手術トレーニングシステム１００が手術トレーニングシステムに相当し、胸郭モデル３００が胸郭モデルに相当し、創傷開創器４００が創傷開創器に相当し、心臓モデル２００が心臓モデルに相当し、保持部４３０が保持部に相当し、ヘッドマウントディスプレイ５２０がヘッドマウントディスプレイ装置に相当し、投影装置５１０が投影装置に相当する。
【００６７】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００６８】
１００  手術トレーニングシステム
２００  心臓モデル
３００  胸郭モデル
４００  創傷開創器
４１０  部位
４２０  取り付け部
４３０  固定部
５１０  投影装置
５２０  ヘッドマウントディスプレイ
【図１】
2018112646.tif 000003
【図２】
2018112646.tif 000004
【図３】
2018112646.tif 000005
【図４】
2018112646.tif 000006